(57)【特許請求の範囲】
【請求項１】
電子機器を構成する複数の部材同士を前記電子機器の内部で電気的に接続する内部接続構造であって、
前記複数の部材のうちの一つの部材に電気的に接続される接続端を有する帯状の第１領域と、前記第１領域の長手方向と交差する方向に延在する帯状の第２領域とを備えたフレキシブルな平型集合導体を含み、
前記第１領域には、該第１領域の表裏を反転させて該第１領域の延在方向を転換させる可変ループ状の第１領域内方向転換部が形成されており、
前記第２領域には、該第２領域の表裏を反転させて該第２領域の延在方向を転換させる可変ループ状の第２領域内方向転換部が形成されており、
前記第２領域内方向転換部が形成された第２領域の立体形状を、前記一つの部材に前記接続端を電気的に接続する際に該接続端を変位させることが可能な状態で仮固定するための形状仮固定部を備え、
前記形状仮固定部は、前記第２領域の一端側から該第２領域の長手方向と直交する二方向に延在する展開形状を有すると共に３次元ループ状に変形されており、
前記第２領域は、前記３次元ループ状に変形された形状仮固定部に通された状態に変形されており、
前記第２領域内方向転換部は、前記第２領域での形状仮固定部側の端部に形成されている、
ことを特徴とする内部接続構造。
【請求項２】
前記第１領域内方向転換部は、該第１領域内方向転換部を形成する前記第１領域の延在方向に前記接続端の位置を進退可能に形成され、
前記第２領域内方向転換部は、該第２領域内方向転換部を形成する前記第２領域の延在方向に前記接続端の位置を進退可能に形成され、
前記第１領域内方向転換部による前記接続端の位置の進退方向と、前記第２領域内方向転換部による前記接続端の位置の進退方向とが、交差する方向であることを特徴とする請求項１に記載の内部接続構造。
【請求項３】
前記第２領域から前記形状仮固定部への移行箇所およびその周辺は、前記第２領域から前記形状仮固定部に向かうにしたがって幅広となる裾引き形状を呈することを特徴とする請求項１または２に記載の内部接続構造。
【請求項４】
前記平型集合導体は、複数のスイッチユニットが配置されたスイッチユニット領域を更に有するスイッチシートであることを特徴とする請求項１〜３のいずれか一つに記載の内部接続構造。
【請求項５】
電子機器を構成する複数の部材同士を前記電子機器の内部で電気的に接続する内部接続構造を構成することができるフレキシブルな平型集合導体であって、
前記複数の部材のうちの一つの部材に電気的に接続される接続端を有する帯状の第１領域と、
前記第１領域から該第１領域の長手方向と交差する方向に延在する帯状の第２領域と、
前記第２領域の立体形状を前記一つの部材に前記接続端を電気的に接続する際に該接続端を変位させることが可能な状態で仮固定するための形状仮固定部と、
を備え、
前記第１領域および前記第２領域の各々は、前記第１領域に該第１領域の表裏を反転させて該第１領域の延在方向を転換させる可変ループ状の第１領域内方向転換部を形成し、前記第２領域に該第２領域の表裏を反転させて該第２領域の延在方向を転換させる可変ループ状の第２領域内方向転換部を形成した状態で前記内部接続構造を構成することができる長さを有し、
前記形状仮固定部は、前記第２領域内方向転換部が形成された第２領域の立体形状を仮固定可能であり、前記第２領域の一端側から該第２領域の長手方向と直交する二方向に延在する展開形状を有すると共に３次元ループ状に変形されており、
前記第２領域は、前記３次元ループ状に変形された形状仮固定部に通された状態に変形されており、
前記第２領域内方向転換部は、前記第２領域での形状仮固定部側の端部に形成されている、
ことを特徴とする平型集合導体。
【請求項６】
前記第２領域から前記形状仮固定部への移行箇所およびその周辺は、前記第２領域から前記形状仮固定部に向かうにしたがって幅広となる裾引き形状を呈することを特徴とする請求項５に記載の平型集合導体。
【請求項７】
複数のスイッチユニットが配置されたスイッチユニット領域を更に有するスイッチシートであることを特徴とする請求項５または６に記載の平型集合導体。
【請求項８】
複数個のキートップがスイッチシートを介してベースプレート上に配置され、前記スイッチシートにはフレキシブルな平型集合導体からなる接続部が設けられるか、またはフレキシブルな平型集合導体からなる接続部が接続され、前記接続部によって電子機器内部の所定の部材に電気的に接続されるキーボード装置において、
前記接続部は、
前記所定の部材に電気的に接続される接続端を有する帯状の第１領域と、
前記第１領域から該第１領域の長手方向と交差する方向に延在する帯状の第２領域と、
前記第２領域の立体形状を前記所定の部材に前記接続端を電気的に接続する際に該接続端を変位させることが可能な状態で仮固定するための形状仮固定部と、
を備え、
前記第１領域および前記第２領域の各々は、前記第１領域に該第１領域の表裏を反転させて該第１領域の延在方向を転換させる可変ループ状の第１領域内方向転換部を形成し、前記第２領域に該第２領域の表裏を反転させて該第２領域の延在方向を転換させる可変ループ状の第２領域内方向転換部を形成した状態で前記内部接続構造を構成することができる長さを有し、
前記形状仮固定部は、前記第２領域内方向転換部が形成された第２領域の立体形状を仮固定可能であり、前記第２領域の一端側から該第２領域の長手方向と直交する二方向に延在する展開形状を有すると共に３次元ループ状に変形されており、
前記第２領域は、前記３次元ループ状に変形された形状仮固定部に通された状態に変形されており、
前記第２領域内方向転換部は、前記第２領域での形状仮固定部側の端部に形成されている、
ことを特徴とするキーボード装置。
【請求項９】
前記接続部は、前記スイッチシートに設けられていることを特徴とする請求項８に記載のキーボード装置。
【請求項１０】
請求項１に記載の内部接続構造を有することを特徴とする電子機器。
【請求項１１】
請求項８に記載のキーボード装置を有することを特徴とする携行型パーソナルコンピュータ。
【発明の詳細な説明】
【技術分野】
【０００１】
本発明は、電子機器の内部接続構造、平型集合導体、キーボード装置、電子機器、および携行型パーソナルコンピュータに関するものである。
【背景技術】
【０００２】
可撓性基材上に厚膜導体あるいは薄膜導体によって複数の導線を形成したフレキシブルプリント配線板、メンブレン配線板等のフレキシブルな平型集合導体（以下、単に「平型集合導体」という）は、形状の自由度が比較的高い薄型、軽量の配線材料であることから、電子機器の構成部材同士を筐体内で電気的に接続する内部配線材料として利用される。
【０００３】
例えば特許文献１に記載の電子スチルカメラでは、記録再生装置とレンズユニット、ストロボユニットとをフレキシブル配線板で電気的に接続する。また、特許文献２に記載のノートブック型パーソナルコンピュータでは、システム筐体内の電子回路基板とキーボードユニットとを、長手方向にスリットを形成したフレキシブルプリント配線板によって電気的に接続する。
【先行技術文献】
【特許文献】
【０００４】
【特許文献１】特開２０００−２００９９３号公報
【特許文献２】特開２００７−８０９２９号公報
【発明の概要】
【発明が解決しようとする課題】
【０００５】
電子機器のモデルチェンジの際には、その外観や性能のみならず、平型集合導体で電気的に接続すべき二つの部材の配置も変更されることが多い。このため、モデルチェンジの際には、平型集合導体の全体形状や大きさ等を設計し直すことが多々ある。しかしながら、平型集合導体の再設計は、新モデルの電子機器の開発期間を増大させる要因となる。
【０００６】
本発明は上記の事情に鑑みてなされたものであり、電子機器のモデルチェンジの際に設計変更を不要とすることが可能な内部接続構造、該内部接続構造を構成することができる平型集合導体、該平型集合導体を備えたキーボード装置、上記の内部接続構造を有する電子機器、および上記のキーボード装置を有する携行型パーソナルコンピュータを提供することを目的とする。
【課題を解決するための手段】
【０００７】
本発明の内部接続構造は、電子機器を構成する複数の部材同士を前記電子機器の内部で電気的に接続する内部接続構造であって、前記複数の部材のうちの一つの部材に電気的に接続される接続端を有する帯状の第１領域と、前記第１領域の長手方向と交差する方向に延在する帯状の第２領域とを備えたフレキシブルな平型集合導体を含み、前記第１領域には、該第１領域の表裏を反転させて該第１領域の延在方向を転換させる可変ループ状の第１領域内方向転換部が形成されており、前記第２領域には、該第２領域の表裏を反転させて該第２領域の延在方向を転換させる可変ループ状の第２領域内方向転換部が形成されており、前記第２領域内方向転換部が形成された第２領域の立体形状を、前記一つの部材に前記接続端を電気的に接続する際に該接続端を変位させることが可能な状態で仮固定するための形状仮固定部を備え、前記形状仮固定部は、前記第２領域の一端側から該第２領域の長手方向と直交する二方向に延在する展開形状を有すると共に３次元ループ状に変形されており、前記第２領域は、前記３次元ループ状に変形された形状仮固定部に通された状態に変形されており、前記第２領域内方向転換部は、前記第２領域での形状仮固定部側の端部に形成されている、ことを特徴とする。
【０００８】
本発明の平型集合導体は、電子機器を構成する複数の部材同士を前記電子機器の内部で電気的に接続する内部接続構造を構成することができるフレキシブルな平型集合導体であって、前記複数の部材のうちの一つの部材に電気的に接続される接続端を有する帯状の第１領域と、前記第１領域から該第１領域の長手方向と交差する方向に延在する帯状の第２領域と、前記第２領域の立体形状を前記一つの部材に前記接続端を電気的に接続する際に該接続端を変位させることが可能な状態で仮固定するための形状仮固定部と、を備え、前記第１領域および前記第２領域の各々は、前記第１領域に該第１領域の表裏を反転させて該第１領域の延在方向を転換させる可変ループ状の第１領域内方向転換部を形成し、前記第２領域に該第２領域の表裏を反転させて該第２領域の延在方向を転換させる可変ループ状の第２領域内方向転換部を形成した状態で前記内部接続構造を構成することができる長さを有し、前記形状仮固定部は、前記第２領域内方向転換部が形成された第２領域の立体形状を仮固定可能であり、前記第２領域の一端側から該第２領域の長手方向と直交する二方向に延在する展開形状を有すると共に３次元ループ状に変形されており、前記第２領域は、前記３次元ループ状に変形された形状仮固定部に通された状態に変形されており、前記第２領域内方向転換部は、前記第２領域での形状仮固定部側の端部に形成されている、ことを特徴とする。
【０００９】
本発明のキーボード装置は、複数個のキートップがスイッチシートを介してベースプレート上に配置され、前記スイッチシートにはフレキシブルな平型集合導体からなる接続部が設けられるか、またはフレキシブルな平型集合導体からなる接続部が接続され、前記接続部によって電子機器内部の所定の部材に電気的に接続されるキーボード装置において、前記接続部は、前記所定の部材に電気的に接続される接続端を有する帯状の第１領域と、前記第１領域から該第１領域の長手方向と交差する方向に延在する帯状の第２領域と、前記第２領域の立体形状を前記所定の部材に前記接続端を電気的に接続する際に該接続端を変位させることが可能な状態で仮固定するための形状仮固定部と、を備え、前記第１領域および前記第２領域の各々は、前記第１領域に該第１領域の表裏を反転させて該第１領域の延在方向を転換させる可変ループ状の第１領域内方向転換部を形成し、前記第２領域に該第２領域の表裏を反転させて該第２領域の延在方向を転換させる可変ループ状の第２領域内方向転換部を形成した状態で前記内部接続構造を構成することができる長さを有し、前記形状仮固定部は、前記第２領域内方向転換部が形成された第２領域の立体形状を仮固定可能であり、前記第２領域の一端側から該第２領域の長手方向と直交する二方向に延在する展開形状を有すると共に３次元ループ状に変形されており、前記第２領域は、前記３次元ループ状に変形された形状仮固定部に通された状態に変形されており、前記第２領域内方向転換部は、前記第２領域での形状仮固定部側の端部に形成されている、ことを特徴とする。
【００１０】
本発明の電子機器は、上記本発明の内部接続構造を有することを特徴とする。また、本発明の携行型パーソナルコンピュータは、上記本発明のキーボード装置を有することを特徴とする。
【発明の効果】
【００１１】
本発明の内部接続構造では、電子機器を構成する複数の部材を平型集合導体で電気的に接続する接続作業時に、径を調整することができる第１領域内方向転換部と第２領域内方向転換部とを当該平型集合導体に形成するので、第１領域内方向転換部および第２領域内方向転換部の少なくとも一方の方向転換部の径を調整することにより、平型集合導体での接続端の位置を接続対象の部材の位置に応じて変更することができる。このため、平型集合導体での第１領域、第２領域、および形状仮固定部の形状および大きさを所定の形状および大きさに一旦設計すれば、電子機器のモデルチェンジの際に当該平型集合導体の設計変更を不要とすることが可能になる。
【図面の簡単な説明】
【００１２】
【図１】図１は、本発明の実施の形態１によるキーボード装置を備えた電子機器である携行型パーソナルコンピュータの一例を概略的に示す分解斜視図である。
【図２】図２は、図１中に示したキーボード装置を拡大して概略的に示す平面図である。
【図３】図３は、図２に示したキーボード装置を概略的に示す底面図である。
【図４】図４は、図１中に示したキーボード装置のスイッチシートの展開形状を概略的に示す平面図である。
【図５】図５は、図１に示したキーボード装置をＰＣ本体に搭載するのに先立って行われるスイッチシートの変形処理の一例を概略的に示す斜視図である。
【図６】図６は、図４に示したスイッチシート中の接続部による内部接続構造の一例を概略的に示す斜視図である。
【図７】図７は、本発明の実施の形態２による内部接続構造を構成可能な平型集合導体の一例を概略的に示す平面図である。
【図８】図８は、図７に示した平型集合導体を備えたキーボード装置を携行型ＰＣのＰＣ本体に搭載したときに携行型ＰＣの内部に形成される内部接続構造の一例を概略的に示す斜視図である。
【発明を実施するための形態】
【００１３】
以下、本発明の内部接続構造、平型集合導体、キーボード装置、電子機器、および携行型パーソナルコンピュータそれぞれに係る実施の形態について、図面を参照して詳細に説明する。なお、本発明は下記の実施の形態に限定されるものではない。
【００１４】
（実施の形態１）
図１は、本発明の実施の形態１によるキーボード装置を備えた電子機器である携行型パーソナルコンピュータ（以下、「携行型ＰＣ」と略記する）の一例を概略的に示す分解斜視図である。また、図２は、図１中に示したキーボード装置を拡大して概略的に示す平面図である。そして、図３は、図２に示したキーボード装置を概略的に示す底面図である。
【００１５】
図１に示す携行型ＰＣ１は、パーソナルコンピュータ本体（以下、「ＰＣ本体」と略記する）２と、ＰＣ本体２の出力装置として機能する表示装置３と、ＰＣ本体２の入力装置として機能するキーボード装置４とを備える。
【００１６】
ＰＣ本体２は、箱状の筐体２１と、筐体２１に収容された電子回路基板２２とを有する。筐体２１の上端側には、キーボード装置４の平面視上の形状および大きさに対応した形状および大きさを有する開口部２１ａが設けられる。また、電子回路基板２２には、中央演算処理装置（ＣＰＵ）、チップセット、メモリ（いずれも図示せず）、およびＣＰＵクーラ２２ａ等が実装ないし搭載される。
【００１７】
表示装置３は、液晶表示パネル等のフラットディスプレイパネルを備え、筐体２１の後端部上に回動可能に設けられる。携行型ＰＣ１は、表示装置３がキーボード装置４と略平行になるまで当該表示装置３をキーボード装置４側に回動させたときに、キーボード装置４が表示装置３によって覆われた閉状態となる。また、表示装置３をＰＣ本体２の後方側に回動させたときに、キーボード装置４が露出した開状態となる。
【００１８】
キーボード装置４は、図１、図２、または図３に示すように、キートップ群４１と、スイッチシート４２と、キートップ群４１およびスイッチシート４２が搭載されるベースプレート４３（図３参照）と、各キートップを露出させた状態でベースプレート４３の上面側を覆うカバー部材４４とを有する。キートップ群４１は、所定パターンで配列された複数個のキートップからなる。また、スイッチシート４２は、キートップ群４１を構成するキートップ毎に該キートップの下方に配置されて対応するキートップの押下時に閉となるスイッチユニット（図１〜図３には現れていない）と、各スイッチユニットをコネクタ５に電気的に接続するための接続部４２Ｂとを有する。なお、各キートップは、スイッチシート４２を介してベースプレート４３上に配置される。
【００１９】
また、キーボード装置４は、キートップ群４１の略中央部に配置されてベースプレート４３を貫通するポインティングスティック４５と、ベースプレート４３の裏面側からポインティングスティック４５を支持して該ポインティングスティック４５が操作されたときに所定の電気信号を発生させるセンサモジュール４６（図３参照）も有する。さらには、センサモジュール４６と電子回路基板２２上の所定のコネクタとを電気的に接続する平型集合導体（図示せず）も有する。このキーボード装置４は、筐体２１の開口２１ａを塞いだ状態でＰＣ本体２に搭載される。
【００２０】
携行型ＰＣ１では、スイッチシート４２と電子回路基板２２とを電気的に接続するためのコネクタ５が電子回路基板２２に実装されている。このコネクタ５としては、例えばＺＩＦ（Ｚｅｒｏ  Ｉｎｓｅｒｔｉｏｎ  Ｆｏｒｃｅ）ソケット等、任意の構成のコネクタを用いることができる。コネクタ５の位置は、ＰＣ本体２内で適宜選定可能である。コネクタ５には、スイッチシート４２の接続部４２Ｂの一端が係合される。
【００２１】
すなわち、スイッチシート４２の接続部４２Ｂは、当該スイッチシート４２とコネクタ５とを携行型ＰＣ１の内部で電気的に接続する内部接続構造を構成する。以下、図４〜図６を参照して、接続部４２Ｂによる内部接続構造について詳述する。
【００２２】
図４は、図１中に示したキーボード装置のスイッチシートの展開形状を概略的に示す平面図である。図５は、図１に示したキーボード装置をＰＣ本体に搭載するのに先立って行われるスイッチシートの変形処理の一例を概略的に示す斜視図である。そして、図６は、図４に示したスイッチシート中の接続部による内部接続構造の一例を概略的に示す斜視図である。
【００２３】
図４に示すように、スイッチシート４２は、前述した所定数のスイッチユニットＳＵが配置されたスイッチユニット領域４２Ａと、スイッチユニット領域４２Ａに一体的に形成されて当該スイッチユニット領域４２Ａの側方に延在する上述の接続部４２Ｂとを備える。そして、接続部４２Ｂは、コネクタ５（図１参照）に接続される接続端４２ａを有する第１領域４２Ｂ１と、第１領域４２Ｂ１から該第１領域４２Ｂ１の長手方向と交差する方向に延在する第２領域４２Ｂ２と、第２領域４２Ｂ２の立体形状を仮固定するための形状仮固定部４２Ｂ３とを備える。このスイッチシート４２は、例えばメンブレン配線板によって構成される。
【００２４】
接続部４２Ｂにおける第１領域４２Ｂ１、第２領域４２Ｂ２、および形状仮固定部４２Ｂ３の各々は、帯状を呈する。第１領域４２Ｂ１は、接続端４２ａをスイッチユニット領域４２Ａの長手軸の延長線側に向けて、スイッチユニット領域４２Ａの短手軸と略平行に位置する。第２領域４２Ｂ２は、第１領域４２Ｂ１における接続端４２ａとの対向端側から該第１領域４２Ｂ１と直交する一方向に延在する。そして、形状仮固定部４２Ｂ３は、第２領域４２Ｂ２の一端側から該第２領域４２Ｂ２の長手方向と直交する二方向に延在する。第２領域４２Ｂ２から形状仮固定部４２Ｂ３への移行箇所およびその周辺は、第２領域４２Ｂ２から形状仮固定部４２Ｂ３に向かうにしたがって幅広となる裾引き形状を呈する。
【００２５】
スイッチユニット領域４２Ａ中の各スイッチユニットＳＵをコネクタ５に電気的に接続するために、所定数の導線Ｃが各スイッチユニットＳＵから形状仮固定部４２Ｂ３、第２領域４２Ｂ２、および第１領域４２Ｂ１を経て接続端４２ａに達する。ただし、形状仮固定部４２Ｂ３におけるスイッチユニット領域４２Ａ側の端との対向端から第２領域４２Ｂ２の移行箇所にかけての領域Ｒ１には、導線Ｃが設けられていない。この領域Ｒ１を、以下、「接合用領域Ｒ１」という。また、第２領域４２Ｂ２の長手方向中央部にも、導線Ｃが設けられない領域Ｒ２が形成されている。この領域Ｒ２は、第１領域４２Ｂ１の延在方向と同じ方向に突出した帯状を呈し、その長手軸は第２領域４２Ｂ２の長手軸と実質的に平行である。領域Ｒ２は、形状仮固定部４２Ｂ３および第２領域４２Ｂ２の各々が所定形状に変形するのを補助する。以下、領域Ｒ２を「ガイド領域Ｒ２」という。
【００２６】
図５に示すように、スイッチシート４２の変形処理では、形状仮固定部４２Ｂ３をベースプレート４３の裏面側に湾曲させ、接合用領域Ｒ１を両面テープ等の接合材６でベースプレート４３の裏面に固定して、当該形状仮固定部４２Ｂ３を３次元ループ状にする。この変形処理により、形状仮固定部４２Ｂ３の表裏は反転し、その延在方向は略１８０°転換される。
【００２７】
また、上記の変形処理では、形状仮固定部４２Ｂ３とベースプレート４３の裏面との間の間隙から第１領域４２Ｂ１および第２領域４２Ｂ２をキーボード装置４の長手方向中央部側に引き出して、第２領域４２Ｂ２でのガイド領域Ｒ２よりも形状仮固定部４２Ｂ３側に、径の調整が可能な可変ループ状の第２領域内方向転換部ＴＡ２を形成する。この第２領域内方向転換部ＴＡ２は、第２領域４２Ｂ２の表裏を反転させて、その延在方向を略１８０°転換する。第２領域内方向転換部ＴＡ２を形成すると、３次元ループ状に変形された形状仮固定部４２Ｂ３の内側面に、ガイド領域Ｒ２での短手方向の一端がその全長に亘って、または部分的に当接する。
【００２８】
なお、接合材６によるベースプレート４３への接合用領域Ｒ１の固定は、第２領域内方向転換部ＴＡ２の形成前および形成後のいずれに行ってもよい。ベースプレート４３への接合用領域Ｒ１の固定と第２領域内方向転換部ＴＡ２の形成とを行うと、第２領域内方向転換部ＴＡ２の径が可変の状態で第２領域４２Ｂ２が仮固定される。すなわち、第２領域４２Ｂ２の立体形状が仮固定される。
【００２９】
図６に示すように、上述の変形処理の後、第１領域４２Ｂ１中の接続端４２ａをＰＣ本体２（図１参照）内のコネクタ５に係合させ、次いでキーボード装置４をＰＣ本体２に搭載することにより、スイッチシート４２による内部接続構造ＣＳ１が携行型ＰＣ１（図１参照）内に形成される。このとき、第１領域４２Ｂ１がコネクタ５側に湾曲して、可変ループ状の第１領域内方向転換部ＴＡ１が形成される。この第１領域内方向転換部ＴＡ１は、第１領域４２Ｂ１の表裏を反転させて、その延在方向を略１８０°転換する。第１領域内方向転換部ＴＡ１の長手軸Ａｔ１は、第２領域内方向転換部ＴＡ２の長手軸Ａｔ２と互いに略直交する。
【００３０】
上述の内部接続構造ＣＳ１を構成することができるスイッチシート４２を備えたキーボード装置４では、第１領域４２Ｂ１および第２領域４２Ｂ２の各々を予め長めに設計しておくことにより、導線Ｃを破断させたり導線Ｃにクラックを生じさせたりすることなく、コネクタ５への接続端４２ａの接続時およびＰＣ本体２へのキーボード装置４の搭載時に、接続端４２ａをキーボード装置４の長手方向および短手方向の各々に変位させることが可能になる。
【００３１】
すなわち、第１領域４２Ｂ１の長さを予め長めに設計して第１領域内方向転換部ＴＡ１の径を調整可能にすることにより、接続端４２ａの位置をキーボード装置４の短手方向に変位させることが可能になる。また、第２領域４２Ｂ２の長さを予め長めに設計して第２領域内方向転換部ＴＡ２の径を調整可能にすることにより、接続端４２ａの位置をキーボード装置４の長手方向に変位させることが可能になる。
【００３２】
このため、携行型ＰＣ１のモデルチェンジによってコネクタ５の位置が変更されても、スイッチシート４２中の少なくとも接続部４２Ｂの形状および大きさは変更することなく、当該モデルチェンジに対応することができる。接続部４２Ｂでの第１領域４２Ｂ１、第２領域４２Ｂ２、および形状仮固定部４２Ｂ３それぞれの形状および大きさを所定の形状および大きさに一旦設計すれば、携行型ＰＣ１のモデルチェンジの際に当該接続部４２Ｂの設計変更を不要とすることが可能になる。すなわち、接続部４２Ｂを一旦設計すれば、種々のモデルの携行型ＰＣに適用することができる内部接続構造を構成することが可能になる。結果として、新モデルの携行型ＰＣの開発期間を短縮することができる。
【００３３】
また、内部接続構造ＣＳ１では、第２領域４２Ｂ２の立体形状が形状仮固定部４２Ｂ３によって仮固定される結果として、キーボード装置４をＰＣ本体２に搭載する際に接続部４２Ｂをキーボード装置４と電子回路基板２２との間の間隙中の所望箇所に収め易い。また、キーボード装置４の搭載作業時に接続部４２Ｂに張力がかかっても、該張力を第１領域内方向転換部ＴＡ１や第２領域内方向転換部ＴＡ２で吸収してコネクタ５からの接続端４２ａの抜けを防止することができる。これらの理由から、内部接続構造ＣＳ１によれば、スイッチシート４２に断線を生じさせることなく、良好な作業性の下にキーボード装置４をＰＣ本体２に搭載することができる。
【００３４】
また、接続部４２Ｂでは、第２領域４２Ｂ２から形状仮固定部４２Ｂ３への移行箇所およびその周辺が前述の裾引き形状を呈するので、当該移行箇所およびその周辺の機械的強度が他の箇所に比べて高くなっている。このため、接続部４２Ｂを図５の形状に変形させた後、第１領域４２Ｂ１が形状仮固定部４２Ｂ３に近接することになるように第２領域４２Ｂ２を再度変形させるときでも、上記の移行箇所およびその周辺に生じる復元力によって当該第２領域４２Ｂ２をその長手軸と実質的に平行な方向にスライドさせ易い。この点からも、内部接続構造ＣＳ１によれば、良好な作業性の下にキーボード装置４をＰＣ本体２に搭載することができる。
【００３５】
さらに、３次元ループ状に変形されるときまたは変形された後の形状仮固定部４２Ｂ３にガイド領域Ｒ２での短手方向の一端がその全長に亘って、または部分的に当接して、形状仮固定部４２Ｂ３または第２領域４２Ｂ２それぞれの変形を補助するので、形状仮固定部４２Ｂ３の変形処理を行い易いと共に、第２領域内方向転換部ＴＡ２が形成された後の第２領域４２Ｂ２をその長手軸と実質的に平行な方向にスライドさせ易い。この点からも、内部接続構造ＣＳ１によれば、良好な作業性の下にキーボード装置４をＰＣ本体２に搭載することができる。
【００３６】
（実施の形態２）
本発明の内部接続構造では、平型集合導体での第１領域内または第２領域内に形成したスリットによって形状仮固定部を構成することもできる。図７は、本発明の実施の形態２による内部接続構造を構成可能な平型集合導体の一例を概略的に示す平面図である。また、図８は、図７に示した平型集合導体を備えたキーボード装置を携行型ＰＣのＰＣ本体に搭載したときに携行型ＰＣの内部に形成される内部接続構造の一例を概略的に示す斜視図である。
【００３７】
図７に示す平型集合導体１４２は、キーボード装置を構成するスイッチシート（以下、「スイッチシート１４２」という）である。このスイッチシート１４２は、所定数のスイッチユニットＳＵが配置されたスイッチユニット領域１４２Ａと、スイッチユニット領域１４２Ａに一体的に形成されて当該スイッチユニット領域１４２Ａの側方に延在する接続部１４２Ｂとを有し、例えばメンブレン配線板によって構成される。接続部１４２Ｂは、ＰＣ本体内のコネクタ（図示せず）に接続される接続端１４２ａを有する第１領域１４２Ｂ１と、第１領域１４２Ｂ１から該第１領域１４２Ｂ１の長手方向と交差する方向に延在する第２領域１４２Ｂ２と、第２領域１４２Ｂ２の立体形状を仮固定するための形状仮固定部１４２Ｂ３とを備える。
【００３８】
第１領域１４２Ｂ１および第２領域１４２Ｂ２の各々は、帯状を呈する。第１領域１４２Ｂ１は、スイッチユニット領域１４２Ａの長手軸と略平行に位置する。第２領域１４２Ｂ２は、第１領域１４２Ｂ１における接続端１４２ａとの対向端側から当該第１領域１４２Ｂ１の長手方向と交差する方向、具体的には直交する一方向に延在する。そして、形状仮固定部１４２Ｂ３は、第２領域１４２Ｂ２の略中央部に設けられて該第２領域１４２Ｂ２の長手方向に延在するスリットからなる。この形状仮固定部１４２Ｂ３の長さは、第１領域１４２Ｂ１での短手方向の幅の長さよりも長い。スイッチユニット領域１４２Ａ中の各スイッチユニットＳＵをコネクタに電気的に接続するために、所定数の導線Ｃが各スイッチユニットＳＵから第２領域１４２Ｂ２および第１領域１４２Ｂ１を経て接続端１４２ａに達する。
【００３９】
図８に示すように、スイッチシート１４２による内部接続構造ＣＳ２では、径の調整が可能な可変ループ状の二つの第２領域内方向転換部ＴＡ２１，ＴＡ２２が第２領域１４２Ｂ２に形成される。第２領域内方向転換部ＴＡ２１は、第２領域１４２Ｂ１でのスイッチユニット領域１４２Ａ側の端部に形成され、第２領域内方向転換部ＴＡ２２は、第２領域１４２Ｂ２での第１領域１４２Ｂ１側の端部に形成される。各第２領域内方向転換部ＴＡ２１，ＴＡ２２は、第２領域１４２Ｂ２の表裏を反転させて、その延在方向を略１８０°転換する。第２領域内方向転換部ＴＡ２１の長手軸Ａｔ２１と第２領域内方向転換部ＴＡ２２の長手軸Ａｔ２２とは、互いに略平行になっている。
【００４０】
また、第１領域１４２Ｂ１での接続端１４２ａ側の端部は、ベースプレート４３側から形状仮固定部１４２Ｂ３に通されて、キーボード装置１４０の長手方向中央部側に引き出される。そして、接続端１４２ａは、キーボード装置１４０の長手軸に沿った方向を向いた状態で、ＰＣ本体中の電子回路基板（図示せず）に搭載されているコネクタ１５０に係合される。
【００４１】
このとき、径の調整が可能な可変ループ状の第１領域内方向転換部ＴＡ１１が第１領域１４２Ｂ１での第２領域１４２Ｂ２側の端部に形成される。この第１領域内方向転換部ＴＡ１１は、第１領域１４２Ｂ１の表裏を反転させて、その延在方向を略１８０°転換する。第１領域内方向転換部ＴＡ１１の長手軸Ａｔ１１は、第２領域内方向転換部ＴＡ２１，ＴＡ２２の長手軸Ａｔ２１，Ａｔ２２の各々と互いに略直交する。形状仮固定部１４２Ｂ３は、第１領域内方向転換部ＴＡ１１の径が可変の状態で第１領域１４２Ｂ１を仮固定する。すなわち、第１領域１４２Ｂ１の立体形状を仮固定する。なお、図８に示した構成要素のうちで図６に示した構成要素と共通するものについては、図６で用いた参照符号と同じ参照符号を付してある。
【００４２】
上述の内部接続構造ＣＳ２を構成することができるスイッチシート１４２を備えたキーボード装置１４０では、第１領域１４２Ｂ１および第２領域１４２Ｂ２の各々を予め長めに設計しておくことにより、導線Ｃを破断させたり導線Ｃにクラックを生じさせたりすることなく、コネクタ１５０への接続端１４２ａの接続時およびＰＣ本体へのキーボード装置１４０の搭載時に、接続端１４２ａをキーボード装置１４０の長手方向および短手方向の各々に変位させることが可能になる。
【００４３】
すなわち、第１領域１４２Ｂ１の長さを予め長めに設計して第１領域内方向転換部ＴＡ１１の径を調整可能にすることにより、接続端１４２ａの位置をキーボード装置１４０の長手方向に変位させることが可能になる。また、第２領域１４２Ｂ２の長さを予め長めに設計して第２領域内方向転換部ＴＡ２１，ＴＡ２２の径を調整可能にすることにより、接続端１４２ａの位置をキーボード装置１４０の短手方向に変位させることが可能になる。
【００４４】
そのため、携行型ＰＣのモデルチェンジによってコネクタ１５０の位置が変更されても、スイッチシート１４２中の少なくとも接続部１４２Ｂについては、その形状および大きさを変更することなく当該モデルチェンジに対応することができる。接続部１４２Ｂでの第１領域１４２Ｂ１、第２領域１４２Ｂ２、および形状仮固定部１４２Ｂ３それぞれの形状および大きさを所定の形状および大きさに一旦設計すれば、携行型ＰＣのモデルチェンジの際に当該接続部１４２Ｂの設計変更を不要とすることが可能になる。すなわち、接続部１４２Ｂを一旦設計すれば、種々のモデルの携行型ＰＣに適用することができる内部接続構造を構成することが可能になる。結果として、新モデルの携行型ＰＣの開発期間を短縮することができる。
【００４５】
また、内部接続構造ＣＳ２では、第１領域１４２Ｂ１の立体形状が形状仮固定部１４２Ｂ３によって仮固定される結果として、キーボード装置１４０をＰＣ本体に搭載する際に、コネクタ１５０が搭載されている電子回路基板とキーボード装置１４０との間の間隙中の所望箇所に接続部１４２Ｂを収め易い。キーボード装置１４０の搭載作業時に接続部１４２Ｂに張力がかかっても、該張力を第１領域内方向転換部ＴＡ１１や第２領域内方向転換部ＴＡ２１，ＴＡ２２で吸収して、コネクタ１５０からの接続端１４２ａの抜けを防止することができる。これらの理由から、内部接続構造ＣＳ２によれば、スイッチシート１４２に断線を生じさせることなく、良好な作業性の下にキーボード装置１４０をＰＣ本体に搭載することができる。
【００４６】
以上、実施の形態を挙げて本発明を説明したが、本発明は上述した実施の形態に限定されるものではない。例えば、本発明のスイッチシートは、スイッチユニット領域と接続部とが一体的に形成されたものに限らず、スイッチユニット領域と接続部とが別体に形成されたものであってもよい。スイッチユニット領域と接続部とを互いに別体に形成する場合には、接続部が本発明の平型集合導体によって構成され、その一端はコネクタを介してスイッチユニット領域に電気的に接続されるか、導電性接着剤等の導電性接合材によってスイッチユニット領域に電気的に接続される。
【００４７】
本発明の平型集合導体は、実施の形態で説明したスイッチシートの接続部のように、第１領域内方向転換部を形成可能な長さを有する第１領域、第２領域内方向転換部を形成可能な長さを有する第２領域、および第１領域または第２領域の立体形状を仮固定可能な形状仮固定部を備えたメンブレン配線板やフレキシブルプリント配線板等、フレキシブルな平型集合導体である。この平型集合導体の構造および全体形状は、その用途に応じて適宜選定可能である。コストを抑えるという観点からは、フレキシブルプリント配線板よりもメンブレン配線板の方が好ましい。また、平型集合導体によって電気的に接続する部材間の隙間が狭い場合には、フレキシブルプリント配線板よりもメンブレン配線板の方が可撓性が高いので、当該平型集合導体としてはメンブレン配線板を用いた方が好ましい。
【００４８】
平型集合導体での第１領域および第２領域それぞれの展開形状は、図４や図７に示した形状に限らず、帯状であれば任意の形状とすることができる。また、第１領域に対する第２領域の延在方向も、第１領域の長手方向と交差する方向であれば、当該長手方向と直交または略直交する方向に限らず、任意の方向とすることができる。そして、平型集合導体に形成する方向転換部は、径の調整が可能な３次元の可変ループ状であれば、第１領域の延在方向または第２領域の延在方向を１８０°または略１８０°転換させる形状に限らず、当該延在方向を所望の角度転換させる形状とすることもできる。
【００４９】
第１領域内方向転換部が形成された第１領域の立体形状、または第２領域内方向転換部が形成された第２領域の立体形状を仮固定する形状仮固定部は、平型集合導体とは別体の部材とすることもできる。例えば、平型集合導体とは別体に構成した高架橋状の形状仮固定部を電子機器内の所望の部材に設け、この形状仮固定部と該形状仮固定部を取り付けた部材との間の間隙に平型集合導体の第１領域または第２領域を通すことによって、当該領域の立体形状を仮固定することも可能である。
【００５０】
本発明の内部接続構造は、携行型ＰＣの内部接続構造に適用する他に家庭用電子機器、事務用電子機器、産業用電機子機器、これらの機器のリモートコントローラや操作パネル等、種々の電子機器の内部接続構造に適用することができる。本発明については、上述した以外にも様々な変形、装飾、組み合わせ等が可能である。
【符号の説明】
【００５１】
１  電子機器（携行型ＰＣ）
２  ＰＣ本体
３  表示装置
４，１４０  キーボード装置
４１  キートップ群
４２，１４２  スイッチシート
４２Ａ，１４２Ａ  スイッチユニット領域
４２Ｂ，１４２Ｂ  接続部
４２Ｂ１，１４２Ｂ１  第１領域
４２Ｂ２，１４２Ｂ２  第２領域
４２Ｂ３，１４２Ｂ３  形状仮固定部
４２ａ，１４２ａ  接続端
４３  ベースプレート
４４  カバー部材
５，１５０  コネクタ
６  接合材
ＴＡ１，ＴＡ１１  第１領域内方向転換部
ＴＡ２，ＴＡ２１，ＴＡ２２  第２領域内方向転換部
【図１】
0005390546.tif 000002
【図２】
0005390546.tif 000003
【図３】
0005390546.tif 000004
【図４】
0005390546.tif 000005
【図５】
0005390546.tif 000006
【図６】
0005390546.tif 000007
【図７】
0005390546.tif 000008
【図８】
0005390546.tif 000009